(57)【要約】【課題】１フレームを複数のサブフレームに分割し、時間階調法を用いて階調を表現する表示装置において、疑似輪郭が生じてしまっていた。【解決手段】各サブフレームにおける重み付け（点灯期間や点灯回数など）を順次足し合わせていくことにより、階調を表現する。また、画素には、消去用ダイオードを配置する。この消去用ダイオードをオンすることにより、画素に保存されている信号を消去し、非発光期間を設けるようにする。これにより、点灯期間が異なったサブフレームを容易に構成することが出来る。【選択図】図９
2006221154.tif 000002
【特許請求の範囲】
【請求項１】
選択トランジスタと駆動トランジスタと消去ダイオードとをそれぞれ備える画素を複数有する表示装置の駆動方法であって、
１フレームを、前記画素の点灯に関して、点灯時間が概略等しい重み付けの複数のサブフレームに分割して階調を表現することを特徴とする表示装置の駆動方法。
【請求項２】
選択トランジスタと駆動トランジスタと消去ダイオードとをそれぞれ備える画素を複数有する表示装置の駆動方法であって、
１フレームを、前記画素の点灯に関して、点灯時間が徐々に大きくなる重み付けの複数のサブフレームに分割して階調を表現する表示装置の駆動方法であって、
階調数が大きくなるにしたがって、点灯するサブフレームを積み重ねていくことを特徴とする表示装置の駆動方法。
【請求項３】
選択トランジスタと駆動トランジスタと消去ダイオードとをそれぞれ備える画素を複数有する表示装置の駆動方法であって、
１フレームを、前記画素の点灯に関して、点灯時間が概略等しい重み付けの複数のサブフレームに分割して階調を表現し、
前記選択トランジスタをオンにして信号の書き込みを行い、前記消去ダイオードをオンさせて前記信号を消去することによりサブフレームの点灯期間の長さを制御することを特徴とする表示装置の駆動方法。
【請求項４】
選択トランジスタと駆動トランジスタと消去ダイオードとをそれぞれ備える画素を複数有する表示装置の駆動方法であって、
１フレームを、前記画素の点灯に関して、点灯時間が徐々に大きくなる重み付けの複数のサブフレームに分割して階調を表現し、
階調数が大きくなるにしたがって、点灯するサブフレームを積み重ね、
前記選択トランジスタをオンにして信号の書き込みを行い、前記消去ダイオードをオンさせて前記信号を消去することによりサブフレームの点灯期間の長さを制御することを特徴とする表示装置の駆動方法。
【請求項５】
請求項１または請求項２において、前記消去ダイオードによって、前記サブフレームの重み付けの大きさを制御することを特徴とする表示装置の駆動方法。
【請求項６】
請求項１乃至請求項４のいずれか一項において、前記表示装置がＥＬディスプレイであることを特徴とする表示装置の駆動方法。
【請求項７】
請求項１乃至請求項４のいずれか一項において、前記消去ダイオードはＰＮ型ダイオード、ＰＩＮ型ダイオード、ショットキー型ダイオード、ツェナー型ダイオードであることを特徴とする表示装置の駆動方法。
【発明の詳細な説明】
【技術分野】
【０００１】
本発明は表示装置およびその駆動方法、特に時間階調方式を適用した表示装置に関する。
【背景技術】
【０００２】
近年、画素を発光ダイオード（ＬＥＤ）などの発光素子で形成した、いわゆる自発光型の表示装置が注目を浴びている。このような自発光型の表示装置に用いられる発光素子としては、発光ダイオード（ＯＬＥＤ（Ｏｒｇａｎｉｃ  Ｌｉｇｈｔ  Ｅｍｉｔｔｉｎｇ  Ｄｉｏｄｅ）、有機ＥＬ素子、または、無機ＥＬ素子、エレクトロルミネッセンス（ＥＬ：Ｅｌｅｃｔｒｏ  Ｌｕｍｉｎｅｓｃｅｎｃｅ）素子などとも言う）が注目を集めており、ＥＬディスプレイ（有機ＥＬディスプレイ、無機ＥＬディスプレイ、又は、有機と無機とを含む素子からなるディスプレイ）などに用いられるようになってきている。ＯＬＥＤなどの発光素子は自発光型であるため、液晶ディスプレイに比べて画素の視認性が高く、バックライトが不要で応答速度が速い等の利点がある。また発光素子の輝度は、そこを流れる電流値によって制御される。
【０００３】
このような表示装置の発光階調を制御する駆動方式として、デジタル階調方式とアナログ階調方式とがある。デジタル階調方式はデジタル制御で発光素子をオンオフさせ、階調を表現している。一方、アナログ階調方式には、発光素子の発光強度をアナログ制御する方式と発光素子の発光時間をアナログ制御する方式がある。
【０００４】
デジタル階調方式の場合、発光・非発光の２状態しかないため、このままでは、２階調しか表現できない。そこで、別の手法を組み合わせて、多階調化を図ることが行われている。多階調化のための手法としては、時間階調法を用いることが多い。
【０００５】
時間階調法とは、発光している期間の長さや、発光した回数を制御して、階調を表現する方法である。つまり、１フレーム期間を複数のサブフレーム期間に分割し、各サブフレームに、発光回数や発光時間などの重み付けを行い、重み付けの総量（発光回数の総和や、発光時間の総和）を階調ごとに差を付けることによって、階調を表現している。このような時間階調法を用いると、疑似輪郭（または偽輪郭）などと呼ばれる表示不良を起こすことが知られており、その対策が検討されている（特許文献１〜特許文献７参照）。
【特許文献１】特許第２９０３９８４号公報
【特許文献２】特許第３０７５３３５号公報
【特許文献３】特許第２６３９３１１号公報
【特許文献４】特許第３３２２８０９号公報
【特許文献５】特開平１０−３０７５６１号公報
【特許文献６】特許第３５８５３６９号公報
【特許文献７】特許第３４８９８８４号公報
【発明の開示】
【発明が解決しようとする課題】
【０００６】
このように、さまざまな疑似輪郭を低減する方法が提案されているが、疑似輪郭低減の効果は、まだ十分ではない。
【０００７】
例えば、ある画素Ａでは階調数１２７を表現し、その隣の画素Ｂでは、階調数１２８を表現するとする。その場合の、各サブフレームにおける点灯の状態と非点灯の状態を、図２１に示す。もし、視線２１０１が動かずに、ずっと画素Ａのみ、もしくは、画素Ｂのみを見ていた場合は、疑似輪郭は生じない（特許文献２参照）。視線２１０１が通った場所の明るさの和によって、目が明るさを感じるためである。よって、画素Ａでは、階調数が１２７（＝１＋２＋４＋８＋１６＋３２＋３２＋３２）であると感じ、画素Ｂでは、階調数が１２８（＝３２＋３２＋３２＋３２）であると感じる。すなわち、正しい階調を目が感じていることになる。
【０００８】
一方、視線が、画素Ａから画素Ｂへ、もしくは、画素Ｂから画素Ａに移ったとする。その場合を図２２に示す。この場合、視線２２０１の動き方によって、あるときは、階調数が９６（＝３２＋３２＋３２）と感じ、あるときは、階調数が１５９（＝１＋２＋４＋８＋１６＋３２＋３２＋３２＋３２）と感じてしまう。本来は、階調数が１２７と１２８に見えるべきであるのに、階調数が９６や１５９のように見えてしまい、疑似輪郭が発生してしまう。
【０００９】
また、ある画素Ａでは階調数３１を表現し、その隣の画素Ｂでは、階調数３２を表現するとする。その場合の、各サブフレームにおける点灯の状態と非点灯の状態を、図２３に示す。もし、視線２３０１が動かずに、ずっと画素Ａのみ、もしくは、画素Ｂのみを見ていた場合は、疑似輪郭は生じない。視線２３０１が通った場所の明るさの和によって、目が明るさを感じるためである（特許文献３参照）。よって、画素Ａでは、階調数が３１（＝１６＋４＋４＋４＋１＋１＋１）であると感じ、画素Ｂでは、階調数が３２（＝１６＋１６）であると感じる。すなわち、正しい階調を目が感じていることになる。
【００１０】
一方、視線が、画素Ａから画素Ｂへ、もしくは、画素Ｂから画素Ａに移ったとする。その場合を図２４に示す。この場合、視線２４０１の動き方によって、あるときは、階調数が１６（＝１６）と感じ、あるときは、階調数が４７（＝１６＋１６＋４＋４＋４＋１＋１＋１）と感じてしまう。本来は、階調数が３１と３２に見えるべきであるのに、階調数が１６や４７のように見えてしまい、疑似輪郭が発生してしまう。
【００１１】
本発明はこのような問題点に鑑み、少ないサブフレーム数で構成され、疑似輪郭を低減できる表示装置、およびそれを用いた駆動方法を提供することを目的とする。
【課題を解決するための手段】
【００１２】
本発明は、２進数で表示される中間調において、各サブフレームにおける重み付け（点灯期間や点灯回数など）を順次足し合わせていくことにより、階調を表現する。これにより、疑似輪郭の発生を抑制する。
【００１３】
また、さらなる多階調化を図るため、別の方法（面積階調方式やディザ拡散方式や誤差拡散方式）も組み合わせる。
【００１４】
また、画素構成として、ダイオードを用いて、画素に保存された信号を消去する。このダイオードをオンにするだけで、発光素子が非発光状態になるので、消費電力が少なくてすむ。
【００１５】
このような方法を用いて階調を表現することにより、上記目的を達成するものである。
【００１６】
本発明は、選択トランジスタと駆動トランジスタと消去ダイオードとをそれぞれ備える画素を複数有し、１フレームを、点灯に関して概略等しい重み付けの複数のサブフレームに分割して階調を表現することを特徴とするものである。ここで、重み付け（点灯に関して）とは、階調表示のための点灯時間の長短をいうものとする。また、上記で議論した「概略等しい重み付け」とは、各サブフレームにおいて重み付けされた発光回数や発光期間等が、人間の目で認識できない程度の差を有していても良いことを指す。表示に用いるビット数や、表示する階調によりその程度は異なるが、例えば６４階調で表示する場合、各サブフレームにおいて３階調異なっていても概略等しい重み付けがなされたと見なされる。
【００１７】
本発明は、選択トランジスタと駆動トランジスタと消去ダイオードとをそれぞれ備える画素を複数有し、１フレームを、点灯に関して徐々に大きくなる重み付けの複数のサブフレームに分割して階調を表現する表示装置の駆動方法であって、階調数が大きくなるにしたがって、点灯するサブフレームを積み重ねていくことを特徴とするものである。
【００１８】
本発明は、上記構成において、該消去ダイオードによって、該サブフレームの重み付けの大きさを制御することを特徴とするものである。
【００１９】
本発明は、上記構成において、該表示装置がＥＬディスプレイであることを特徴とするものである。
【００２０】
本発明において、適用可能なトランジスタの種類に限定はなく、非晶質シリコンや多結晶シリコンに代表される非単結晶半導体膜を用いた薄膜トランジスタ（ＴＦＴ）、半導体基板やＳＯＩ基板を用いて形成されるＭＯＳ型トランジスタ、接合型トランジスタ、バイポーラトランジスタ、有機半導体やカーボンナノチューブを用いたトランジスタ、その他のトランジスタを適用することができる。また、トランジスタが配置されている基板の種類に限定はなく、単結晶基板、ＳＯＩ基板、ガラス基板、プラスチック基板などに配置することが出来る。
【００２１】
なお、本発明において、接続されているとは、電気的に接続されていることと同義である。したがって、本発明が開示する構成において、所定の接続関係に加え、その間に電気的な接続を可能とする他の素子（例えば、別の素子やスイッチなど）が配置されていてもよい。
【発明の効果】
【００２２】
本発明では、疑似輪郭を低減することが可能となる。したがって、表示品位が向上し、綺麗な画像をみることが出来るようになる。また、消費電力も低減できる。
【発明を実施するための最良の形態】
【００２３】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。
【００２４】
（実施の形態１）
まずここでは、例として、５ビットで階調を表現する場合について考える。つまり、３２階調の場合について述べる。
【００２５】
本発明では、各サブフレームにおける点灯期間（または、ある時間における点灯回数）を順次足し合わせていくことにより、階調を表現する。つまり、階調が大きくなるにしたがって、点灯するサブフレームが増えていくようにする。そのため、小さい階調において点灯しているサブフレームは、大きい階調においても点灯していることになる。このような階調方式を、重ね合わせ時間階調方式と呼ぶことにする。この重ね合わせ時間階調方式を用いることにより、全体の階調を表現する。
【００２６】
次に、具体例として、各階調におけるサブフレームの選択方法、つまり、各階調において各々のサブフレームを点灯させるのかどうかについて述べる。図１に、７個のサブフレームで構成した場合のサブフレームの選択方法について示す。これにより、３ビットつまり８階調を表現することが出来る。点灯期間の長さは全て４であるとする。ここで、階調数の１と点灯期間の長さの１とが対応するものとする。
【００２７】
なお、サブフレームにおける点灯期間（または、ある時間における点灯回数、つまり、重み付けの量）の長さは、全て４であるとしたが、これに限定されない。サブフレームによって、点灯期間（または、ある時間における点灯回数、つまり、重み付けの量）の長さが異なっていても良い。
【００２８】
ここで、図１の見方について述べる。○印がついているサブフレームでは点灯し、×印がついているサブフレームでは非点灯となる。そして、各階調数において、どのサブフレームで点灯するかを選択することにより、階調を表現する。例えば、階調数０では、ＳＦ１〜ＳＦ７は、非点灯になる。階調数１では、ＳＦ１〜ＳＦ７は非点灯となる。階調数４では、ＳＦ２〜ＳＦ７は非点灯となり、ＳＦ１は点灯となる。階調数５では、ＳＦ２〜ＳＦ７は非点灯となり、ＳＦ１は点灯となる。階調数８では、ＳＦ３〜ＳＦ７は非点灯となり、ＳＦ１、ＳＦ２は点灯となる。
【００２９】
このように、各サブフレームにおける点灯期間を順次足し合わせていくことにより、階調を表現する。つまり、階調が大きくなるにしたがって、点灯するサブフレームが増えていくようにする。そのため、ＳＦ１は、階調数４以上では全て点灯しており、ＳＦ２は、階調数８以上では、全て点灯しており、ＳＦ３は、階調数１２以上では全て点灯している。ＳＦ４〜ＳＦ７についても同様である。つまり、小さい階調において点灯しているサブフレームは、大きい階調においても点灯していることになる。
【００３０】
このような駆動法にすることにより、疑似輪郭を低減することが出来る。なぜなら、ある階調において、それよりも低い階調において点灯しているサブフレームは、全て点灯しているからである。よって、視線が動いても、階調の変わり目において、不正確な明るさで見えてしまうことを防ぐことが出来る。
【００３１】
ただし、図１の場合、サブフレーム数が７なので、階調数は８までしか表現できない。そこで、多階調化を図るため、別の手法を組み合わせる。主な手法としては、以下の３つがあげられる。
【００３２】
第１の例としては、面積階調方式である。この方式では、画素を複数のサブ画素に分割する。そして、そのサブ画素での発光面積を変える。例えば、２のべき乗として、１：２：４：８：・・・・とする。そして、各サブ画素のどれを発光させるかにより、階調を表現する。
【００３３】
第２の例としては、画像処理技術を用いる方法である。例えば、ディザ拡散方式、誤差拡散方式を用いる。これにより、多階調化を図ることが出来る。
【００３４】
第３の例としては、複数フレームを使って、１つの階調を表現する方式である。例えば、偶数フレームでは、階調数８を表現し、奇数フレームでは、階調数１０を表現する。すると、人間の目では、平均化されて輝度を感じるため、階調数９であるとして表現することが出来る。
【００３５】
なお、上記第１〜第３の例に関し、各々を組み合わせてもよい。
【００３６】
次に、図２に、１０個のサブフレームを用いて、階調を表現した場合を示す。ここでは、１０個のサブフレームを用いているので、１１階調を表現することが可能となる。多階調化については、上記第１〜第３の例として示した方法を用いればよい。
【００３７】
図１と比較すると、図２の方が、多くの階調を時間階調で表現できるため、階調をなめらかに表現することが出来る。
【００３８】
次に、６ビットで階調を表現する場合について考える。図３に、サブフレーム数を７個とした場合のサブフレームの選択方法について示す。
【００３９】
ここでは、７個のサブフレームを用いているので、８階調を表現することが可能となる。サブフレームにおける点灯期間の長さは、８になる。多階調化については、上記第１〜第３の例として示した方法を用いればよい。
【００４０】
このように、サブフレーム数をＮとすると、時間階調部分において、Ｎ＋１階調を表現することが可能となる。
【００４１】
なお、１つの階調を表現する場合、サブフレームの選択の仕方が複数ある場合がある。よって、ある階調において、サブフレームの選択の仕方をどれにするかについて、時間的に、または、場所的に変更してもよい。つまり、時刻によって、サブフレームの選択の仕方を変えても良いし、画素によって、サブフレームの選択の仕方を変えても良い。さらに、時刻によって変えて、かつ、画素によっても変えてもよい。
【００４２】
例えば、ある階調を表現するとき、フレーム数が奇数番目のときと、偶数番目のときとで、サブフレームの選択の仕方を変えてもよい。また、ある階調を表現するとき、奇数行目の画素を表示するときと、偶数行目の画素を表示するときとで、サブフレームの選択の仕方を変えてもよい。また、ある階調を表現するとき、奇数列目の画素を表示するときと、偶数列目の画素を表示するときとで、サブフレームの選択の仕方を変えてもよい。
【００４３】
これまでは、階調数が増えると、それに線形に比例して点灯期間が増えている場合について述べた。そこで次に、ガンマ補正を行った場合について述べる。ガンマ補正とは、階調数が増えると、非線形で点灯期間が増えていくようにしたものを指す。人間の目は、輝度が線形に比例して大きくなっても、比例して明るくなっているとは感じない。輝度が高くなるほど、明るさの差を感じにくくなっている。よって、人間の目で、明るさの差を感じるようにするためには、階調数が増えていくにしたがって、点灯期間をより長くとる、つまり、ガンマ補正を行う必要がある。
【００４４】
最も単純な方法は、実際に表示するビット数（階調数）よりも、多くのビット数（階調数）で表示できるようにしておく、というものである。例えば、６ビット（６４階調）で表示を行うとき、実際には、８ビット（２５６階調）を表示できるようにしておく。そして、実際に表示するときには、階調数の輝度が非線形になるようにして、６ビット（６４階調）で表示する。これにより、ガンマ補正を実現出来る。
【００４５】
通常、輝度をＹ、階調数をＸ、ガンマ数をγ、比例定数をＡとすると、Ｙ＝ＡＸγと表される。一般的には、γ＝２．２の場合、人間の目にとって、最もよいとされている。よって、Ｙ＝ＡＸ２．２となるようにすればよい。
【００４６】
なお、ガンマ数は２．２に限定されない。人間の目にとって、最適な大きさであればよい。よって、１．７以上、２．７以下であればよいが、概ね２．２が好適である。
【００４７】
例として、図４に、ガンマ補正後の３２階調と、ガンマ補正前の６４階調、および、ガンマ補正前の２５６階調との対応テーブルを示す。ガンマ補正前で６４階調もしくは２５６階調で表示できるようにしておいて、実際にはガンマ補正後で３２階調を表現したい場合は、図４の対応テーブルに則って表示させればよい。ガンマ補正後の３２階調の階調数をＸとする。γ＝２．２とすると、Ｘ２．２が計算できる。ここで、階調数３１のときのＸ２．２は、１９１０となる。よって、各Ｘ２．２の値に６４を乗算し、階調数３１のときのＸ２．２である１９１０を除算すれば、ガンマ補正前のときの６４階調での階調数が求められる。同様に、各Ｘ２．２の値に２５６を乗算し、階調数３１のときのＸ２．２である１９１０を除算すれば、ガンマ補正前のときの２５６階調での階調数が求められる。同様にすれば、さまざまな階調の場合にも適用できる。
【００４８】
ガンマ補正後の３２階調と、ガンマ補正前の６４階調とをグラフ化したものを図５に示す。図５から分かる通り、ガンマ補正後の３２階調での階調数が大きくなるにしたがって、ガンマ補正前の６４階調、すなわち、輝度が、非線形に大きくなっていくのが分かる。これにより、人間の目には、なめらかな表示を行うことが出来るようになる。
【００４９】
なお、ガンマ補正を行った場合、各サブフレームにおける点灯期間の長さは、必ずしも同じにする必要はない。なぜなら、階調数と輝度とが、非線形だからである。よって、Ｙ＝ＡＸγという式の上にのるように、各サブフレームにおける点灯期間の長さを選ぶことが望ましい。
【００５０】
例として、ガンマ補正後の３２階調と、それに対応したガンマ補正前の６４階調に対して、各サブフレーム期間の長さと、サブフレームの選択方法を図６に示す。サブフレームＳＦ１は、点灯期間１であり、サブフレームＳＦ２は、点灯期間２であり、サブフレームＳＦ３は、点灯期間４であり、サブフレームＳＦ４は、点灯期間７であり、サブフレームＳＦ５は、点灯期間１０であり、サブフレームＳＦ６は、点灯期間１１であり、サブフレームＳＦ７は、点灯期間２７である、とする。このように、階調数が大きくなるにしたがって、選択されるサブフレームの長さが大きくなっている。これにより、より適切にガンマ補正を行うことができる。なお、各々のサブフレームにおける点灯期間の長さは、これに限定されない。サブフレーム数などにより、適宜調整すればよい。
【００５１】
なお、ここでは、ガンマ補正後の３２階調の場合について示したが、これに限定されない。他の階調数の場合についても、ガンマ補正後の場合とガンマ補正前の場合とで、適宜、対応テーブルを作成することが可能である。
【００５２】
また、何ビット（例えばｐビット、ここでｐは整数）を表示できるようにしておいて、ガンマ補正後で何ビット（例えばｑビット、ここでｑは整数）で表示するのかについても、これに限定されない。ガンマ補正後で表示する場合、階調をなめらかに表現するためには、ビット数ｐを出来るだけ大きくしておくことが望ましい。ただし、あまり大きくしすぎると、サブフレーム数が多くなってしまうなど、弊害も出てきてしまう。よって、ビット数ｑとビット数ｐとの関係は、ｑ＋２≦ｐ≦ｑ＋５、とすることが望ましい。これにより、階調をなめらかに表現しつつ、サブフレーム数も増えすぎない、ということを実現できる。
【００５３】
なお、通常のフレーム周波数は、６０ヘルツであるが、これに限定されない。フレーム周波数をもっと上げることにより、疑似輪郭を低減してもよい。例えば、通常の倍の周波数１２０ヘルツ程度で動作させてもよい。
【００５４】
次に、タイミングチャートの例について述べる。サブフレームの選択方法は、一例として、図１のものを用いることにするが、これに限定されず、他のサブフレームの選択方法や他の階調数などにも容易に適用可能である。
【００５５】
まず、タイミングチャートを図７に示す。各行において、信号書き込み動作を行うと、すぐに点灯期間７０１が開始する。
【００５６】
ある行において、信号を書き込み、所定の点灯期間７０１が終了したのち、次のサブフレームにおける信号の書き込み動作を開始する。これを繰り返すことにより、点灯期間７０１の長さが、４、４、４、４、４、４、４のように配置される。
【００５７】
このようにすることにより、信号の書き込み動作が遅くても、１フレーム内にたくさんのサブフレームを配置することが可能となる。
【００５８】
なお、画面全体の輝度を調整する場合、デューティー比（１フレーム期間における点灯期間の割合）を調整することにより実現する場合がある。そのような場合は、強制的に点灯しないようにする必要がある。そのための方法の一つとして、画素に保存されている信号を消去する、というやり方がある。
【００５９】
そこで次に、画素の信号を消去する動作を行う場合のタイミングチャートを図７に示す。各行において、信号書き込み動作を行い、次の信号書き込み動作が来る前に、画素の信号を消去する。このようにすることにより、点灯期間の長さを容易に制御できるようになる。よって、デューティー比を自在に変えることが出来る。
【００６０】
また、ガンマ補正を行う場合などにおいて、各サブフレームにおける点灯期間の長さが異なる場合には、信号を消去するタイミングを各サブフレームごとに変えることにより、点灯期間の長さを制御することが可能となる。
【００６１】
例として、図６の点灯期間の選び方の場合におけるタイミングチャートを図８に示す。このように、信号消去動作８０１のタイミングを各サブフレームごとに変えることにより、点灯期間の長さを適宜制御することが可能となる。
【００６２】
駆動トランジスタを強制的にオフにする場合の画素構成の例を図９に示す。選択トランジスタ９０１、駆動トランジスタ９０３、消去ダイオード９１１、表示素子９０４が配置されている。選択トランジスタ９０１のソースとドレインは各々、信号線９０５と駆動トランジスタ９０３のゲートに接続されている。選択トランジスタ９０１のゲートは、第１ゲート線９０７に接続されている。駆動トランジスタ９０３のソースとドレインは各々、電源線９０６と表示素子９０４に接続されている。消去ダイオード９１１は、駆動トランジスタ９０３のゲートと第２ゲート線９１７に接続されている。
【００６３】
保持容量９０２は、駆動トランジスタ９０３のゲート電位を保持する役目をしている。よって、駆動トランジスタ９０３のゲートと電源線９０６の間に接続されているが、これに限定されない。駆動トランジスタ９０３のゲート電位を保持できるように配置されていればよい。また、駆動トランジスタ９０３のゲート容量などを用いて、駆動トランジスタ９０３のゲート電位を保持できる場合は、保持容量９０２を省いても良い。
【００６４】
動作方法としては、第１ゲート線９０７を選択して、選択トランジスタ９０１をオン状態にして、信号線９０５から信号を保持容量９０２に入力する。すると、その信号に応じて、駆動トランジスタ９０３の電流が制御され、第１電源線９０６から、表示素子９０４を通って、第２電源線９０８に電流が流れる。
【００６５】
信号を消去したい場合は、第２ゲート線９１７を選択（ここでは、高い電位にする）して、消去ダイオード９１１がオンして、第２ゲート線９１７から駆動トランジスタ９０３のゲートへ電流が流れるようにする。その結果、駆動トランジスタ９０３がオフ状態になる。すると、第１電源線９０６から、表示素子９０４を通って、第２電源線９０８には、電流が流れないようになる。その結果、非点灯期間を作ることができ、点灯期間の長さを自由に制御できるようになる。
【００６６】
このとき、第２ゲート線９１７の電位を十分高くすれば、駆動トランジスタ９０３のしきい値電圧が異常な値（例えば、Ｐチャネル型トランジスタにおいて、しきい値電圧が正の値）であっても、駆動トランジスタ９０３を正常にオフ状態にすることが出来る。また、第２ゲート線９１７を１本分だけ制御するだけで非点灯期間をつくることができるので、消費電力が小さくてすむ。
【００６７】
信号を保持しておきたい場合は、第２ゲート線９１７を非選択（ここでは、低い電位にする）にしておく。すると、消去ダイオード９１１がオフするので、駆動トランジスタ９０３のゲート電位は保持される。
【００６８】
なお、消去ダイオード９１１は、整流性がある素子であれば、なんでもよい。ＰＮ型ダイオードでもよいし、ＰＩＮ型ダイオードでもよいし、ショットキー型ダイオードでもよいし、ツェナー型ダイオードでもよい。
【００６９】
また、ダイオードとして、トランジスタを用いて、ダイオード接続（ゲートとドレインを接続）して、用いても良い。その場合の回路図を図１０に示す。消去ダイオード９１１として、ダイオード接続したトランジスタ１０１１を用いている。ここでは、Ｎチャネル型を用いているが、これに限定されない。Ｐチャネル型を用いても良い。
【００７０】
このように、非点灯期間を作る場合、強制的に非発光状態をつくればよいので、表示素子に電流が供給されないようにすればよい。よって、第１電源線９０６から、表示素子９０４を通って、第２電源線９０８に電流が流れる経路のどこかに、スイッチを配置して、そのスイッチのオンオフを制御して、非点灯期間を作ればよい。あるいは、駆動トランジスタ９０３のゲート・ソース間電圧を制御して、駆動トランジスタが強制的にオフになるようにすればよい。
【００７１】
なお、サブフレームの出現順序は、時刻によって変化してもよい。例えば、１フレーム目と２フレーム目とで、サブフレームの出現順序が変わっても良い。また、サブフレームの出現順序は、場所によって変わっても良い。例えば、画素Ａと画素Ｂとで、サブフレームの出現順序が変わっても良い。また、それらを組み合わせて、サブフレームの出現順序が、時刻によって変化して、かつ、場所によって変化してもよい。
【００７２】
また、サブフレームの出現順序は、例えば図１において、ＳＦ１からＳＦ７まで順序よく並んでいても良いし、ランダムな順序で並んでいても良い。
【００７３】
なお、本実施の形態において、１フレーム期間内に、点灯期間や信号書き込み期間や非点灯期間が配置されていたが、これに限定されない。それ以外の動作期間が配置されていてもよい。例えば、表示素子に加える電圧を、通常とは逆の極性のものにするような期間、いわゆる、逆バイアス期間を設けても良い。逆バイアス期間を設けることにより、表示素子の信頼性が向上する場合がある。
【００７４】
（実施の形態２）
以下、本実施の形態では、表示装置、および、信号線駆動回路やゲート線駆動回路などの構成とその動作について、説明する。
【００７５】
表示装置は、図１１に示すように、画素部１１０１、ゲート線駆動回路１１０２、信号線駆動回路１１１０を有している。ゲート線駆動回路１１０２は、画素部１１０１に選択信号を順次出力する。ゲート線駆動回路１１０２は、シフトレジスタやバッファ回路などから構成されている。
【００７６】
このほかにも、ゲート線駆動回路１１０２は、レベルシフタ回路やパルス幅制御回路などが配置されている場合も多い。シフトレジスタでは、順次選択していくようなパルスを出力する。信号線駆動回路１１１０は、画素部１１０１にビデオ信号を順次出力する。シフトレジスタ１１０３では、順次選択していくようなパルスを出力する。画素部１１０１では、ビデオ信号に従って、光の状態を制御することにより、画像を表示する。信号線駆動回路１１１０から画素部１１０１へ入力するビデオ信号は、電圧である場合が多い。つまり、各画素に配置された表示素子や表示素子を制御する素子は、信号線駆動回路１１１０から入力されるビデオ信号（電圧）によって、状態を変化させる。画素に配置する表示素子の例としては、ＥＬ素子やＦＥＤ（フィールドエミッションディスプレイ）で用いる素子や液晶やＤＭＤ（デジタル・マイクロミラー・デバイス）などがあげられる。
【００７７】
なお、ゲート線駆動回路１１０２や信号線駆動回路１１１０は、複数配置されていてもよい。
【００７８】
信号線駆動回路１１１０は、構成を複数の部分に分けられる。大まかには、一例として、シフトレジスタ１１０３、第１ラッチ回路（ＬＡＴ１）１１０４、第２ラッチ回路（ＬＡＴ２）１１０５、増幅回路１１０６に分けられる。増幅回路１１０６は、デジタル信号をアナログに変換する機能を有していたり、ガンマ補正を行う機能を有したりしていてもよい。
【００７９】
また、画素は、ＥＬ素子などの表示素子を有している。その表示素子に電流（ビデオ信号）を出力する回路、すなわち、電流源回路を有していることもある。
【００８０】
そこで、信号線駆動回路１１１０の動作を簡単に説明する。シフトレジスタ１１０３は、クロック信号（Ｓ−ＣＬＫ）、スタートパルス（ＳＰ）、クロック反転信号（Ｓ−ＣＬＫｂ）が入力され、これらの信号のタイミングに従って、順次サンプリングパルスが出力される。
【００８１】
シフトレジスタ１１０３より出力されたサンプリングパルスは、第１ラッチ回路（ＬＡＴ１）１１０４に入力される。第１ラッチ回路（ＬＡＴ１）１１０４には、ビデオ信号線１１０８より、ビデオ信号が入力されており、サンプリングパルスが入力されるタイミングに従って、各列でビデオ信号を保持していく。
【００８２】
第１ラッチ回路（ＬＡＴ１）１１０４において、最終列までビデオ信号の保持が完了すると、水平帰線期間中に、ラッチ制御線１１０９よりラッチパルス（Ｌａｔｃｈ  Ｐｕｌｓｅ）が入力され、第１ラッチ回路（ＬＡＴ１）１１０４に保持されていたビデオ信号は、一斉に第２ラッチ回路（ＬＡＴ２）１１０５に転送される。その後、第２ラッチ回路（ＬＡＴ２）１１０５に保持されたビデオ信号は、１行分が同時に、増幅回路１１０６へと入力される。そして、増幅回路１１０６から出力される信号は、画素部１１０１へ入力される。
【００８３】
第２ラッチ回路（ＬＡＴ２）１１０５に保持されたビデオ信号が増幅回路１１０６に入力され、そして、画素部１１０１に入力されている間、シフトレジスタ１１０３においては再びサンプリングパルスが出力される。つまり、同時に２つの動作が行われる。これにより、線順次駆動が可能となる。以後、この動作を繰り返す。
【００８４】
なお、信号線駆動回路やその一部（電流源回路や増幅回路など）は、画素部１１０１と同一基板上に存在せず、例えば、外付けのＩＣチップを用いて構成されることもある。
【００８５】
なお、信号線駆動回路やゲート線駆動回路などの構成は、図１１に限定されない。例えば、点順次駆動で画素に信号を供給する場合もある。その場合の信号線駆動回路１２１０の例を図１２に示す。シフトレジスタ１２０３から、サンプリングパルスがサンプリング回路１２０４に出力される。ビデオ信号線１２０８より、ビデオ信号が入力され、サンプリングパルスに応じて、画素部１２０１へビデオ信号が出力される。そして、ゲート線駆動回路１２０２により選択されている行の画素に次々と信号が入力される。
【００８６】
なお、すでに述べたように、本発明におけるトランジスタは、どのようなタイプのトランジスタでもよいし、どのような基板上に形成されていてもよい。したがって、図１１や図１２で示したような回路が、全てガラス基板上に形成されていてもよいし、プラスチック基板に形成されていてもよいし、単結晶基板に形成されていてもよいし、ＳＯＩ基板上に形成されていてもよいし、その他のどのような基板上に形成されていてもよい。あるいは、図１１や図１２における回路の一部が、ある基板に形成されており、図１１や図１２における回路の別の一部が、別の基板に形成されていてもよい。つまり、図１１や図１２における回路の全てが同じ基板上に形成されていなくてもよい。例えば、図１１において、画素部１１０１とゲート線駆動回路１１０２とは、ガラス基板上にＴＦＴを用いて形成し、信号線駆動回路１１１０（もしくはその一部）は、単結晶基板上に形成し、そのＩＣチップをＣＯＧ（Ｃｈｉｐ  Ｏｎ  Ｇｌａｓｓ）で接続してガラス基板上に配置してもよい。あるいは、そのＩＣチップをＴＡＢ（Ｔａｐｅ  Ａｕｔｏ  Ｂｏｎｄｉｎｇ）やプリント基板を用いてガラス基板と接続してもよい。
【００８７】
なお、本実施の形態で説明した内容は、実施の形態１で説明した内容を利用したものに相当する。したがって、実施の形態１で説明した内容は、本実施の形態にも適用できる。
【００８８】
（実施の形態３）
次に、本発明の表示装置における画素のレイアウトについて述べる。例としては、図１０に示した回路図について、そのレイアウト図を図１３に示す。同様に、図９に示した回路図について、そのレイアウト図を図１４に示す。なお、回路図やレイアウト図は、図１０、図９や図１３、図１４に限定されない。
【００８９】
まず、図１３を参照する。選択トランジスタ１３０１、駆動トランジスタ１３０３、ダイオード接続した消去トランジスタ１３１１、表示素子の電極１３０４が配置されている。選択トランジスタ１３０１のソースとドレインは各々、信号線１３０５と駆動トランジスタ１３０３のゲートに接続されている。選択トランジスタ１３０１のゲートは、第１ゲート線１３０７に接続されている。駆動トランジスタ１３０３のソースとドレインは各々、電源線１３０６と電極１３０４に接続されている。ダイオード接続した消去トランジスタ１３１１は、駆動トランジスタ１３０３のゲートと第２ゲート線１３１７に接続されている。保持容量１３０２は、駆動トランジスタ１３０３のゲートと電源線１３０６の間に接続されている。
【００９０】
信号線１３０５、電源線１３０６は、第２配線によって形成され、第１ゲート線１３０７、第２ゲート線１３１７は、第１配線によって形成されている。
【００９１】
次に、図１４を参照する。選択トランジスタ１４０１、駆動トランジスタ１４０３、ダイオード１４１１、表示素子の電極１４０４が配置されている。ここでは、ダイオード１４１１は、ＰＩＮ型ダイオードであるとする。選択トランジスタ１４０１のソースとドレインは各々、信号線１４０５と駆動トランジスタ１４０３のゲートに接続されている。選択トランジスタ１４０１のゲートは、第１ゲート線１４０７に接続されている。駆動トランジスタ１４０３のソースとドレインは各々、電源線１４０６と電極１４０４に接続されている。ダイオード１４１１は、駆動トランジスタ１４０３のゲートと第２ゲート線１４１７に接続されている。保持容量１４０２は、駆動トランジスタ１４０３のゲートと電源線１４０６の間に接続されている。
【００９２】
なお、ダイオード１４１１におけるｉ領域の長さは、ダイオード１４１１のブレイクダウン電圧やオフ電流などを考慮して決めればよい。また、ダイオード１４１１におけるｉ領域の上側や下側などに、配線が配置されていてもよい。この配線により、ダイオードが光に反応してしまうことを防止することが出来る。
【００９３】
信号線１４０５、電源線１４０６は、第２配線によって形成され、第１ゲート線１４０７、第２ゲート線１４１７は、第１配線によって形成されている。
【００９４】
トップゲート構造の場合は、基板、半導体層、ゲート絶縁膜、第１配線、層間絶縁膜、第２配線、の順で膜が構成される。ボトムゲート構造の場合は、基板、第１配線、ゲート絶縁膜、半導体層、層間絶縁膜、第２配線、の順で膜が構成される。
【００９５】
なお、本実施の形態で述べた内容は、実施の形態１〜２で述べた内容と自由に組み合わせて実施することができる。
【００９６】
（実施の形態４）
本実施の形態では、実施の形態１から実施の形態６までで述べた駆動方法を制御するハードウェアについて述べる。
【００９７】
大まかな構成図を図１５に示す。基板１５０１の上に、画素部１５０４が配置されている。信号線駆動回路１５０６やゲート線駆動回路１５０５が配置されている場合が多い。それ以外にも、電源回路やプリチャージ回路やタイミング生成回路などが配置されていることもある。また、信号線駆動回路１５０６やゲート線駆動回路１５０５が配置されていない場合もある。その場合は、基板１５０１に配置されていないものは、ＩＣに形成されることが多い。そのＩＣは、基板１５０１の上に、ＣＯＧ（Ｃｈｉｐ  Ｏｎ  Ｇｌａｓｓ）によって配置されている場合も多い。あるいは、周辺回路基板１５０２と基板１５０１とを接続する接続基板１５０７の上に、ＩＣが配置される場合もある。
【００９８】
周辺回路基板１５０２には、信号１５０３が入力される。そして、コントローラ１５０８が制御して、メモリ１５０９やメモリ１５１０などに信号が保存される。信号１５０３がアナログ信号の場合は、アナログ・デジタル変換を行った後、メモリ１５０９やメモリ１５１０などに保存されることが多い。そして、コントローラ１５０８がメモリ１５０９やメモリ１５１０などに保存された信号を用いて、基板１５０１に信号を出力する。
【００９９】
実施の形態１から実施の形態３までで述べた駆動方法を実現するために、コントローラ１５０８が、サブフレームの出現順序などを制御して、基板１５０１に信号を出力する。
【０１００】
なお、本実施の形態で述べた内容は、実施の形態１〜３で述べた内容と自由に組み合わせて実施することができる。
【０１０１】
（実施の形態５）
本発明の表示装置、およびその駆動方法を用いた表示装置を表示部に有する携帯電話機の構成例について図１６を用いて説明する。
【０１０２】
表示パネル５４１０はハウジング５４００に脱着自在に組み込まれる。ハウジング５４００は表示パネル５４１０のサイズに合わせて、形状や寸法を適宜変更することができる。表示パネル５４１０を固定したハウジング５４００はプリント基板５４０１に嵌入されモジュールとして組み立てられる。
【０１０３】
表示パネル５４１０はＦＰＣ５４１１を介してプリント基板５４０１に接続される。プリント基板５４０１には、スピーカー５４０２、マイクロフォン５４０３、送受信回路５４０４、ＣＰＵ及びコントローラなどを含む信号処理回路５４０５が形成されている。このようなモジュールと、入力手段５４０６、バッテリー５４０７を組み合わせ、筐体５４０９及び５４１２に収納する。表示パネル５４１０の画素部は筐体５４１２に形成された開口窓から視認できように配置する。
【０１０４】
表示パネル５４１０は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）で表示パネル５４１０に実装しても良い。あるいは、そのＩＣチップをＴＡＢ（Ｔａｐｅ  Ａｕｔｏ  Ｂｏｎｄｉｎｇ）やプリント基板を用いてガラス基板と接続してもよい。なお、一部の周辺駆動回路を基板上に画素部と一体形成し、他の周辺駆動回路を形成したＩＣチップをＣＯＧ等で実装した表示パネルの構成は図１７（ａ）に一例を示してある。
【０１０５】
なお、図１７（ａ）の表示パネルの構成は、基板５３００、信号線駆動回路５３０１、画素部５３０２、走査線駆動回路５３０３、５３０４、ＦＰＣ５３０５、ＩＣチップ５３０６，５３０７、封止基板５３０８、シール材５３０９を有する。
【０１０６】
このような構成とすることで、表示装置の低消費電力を図り、携帯電話機の一回の充電による使用時間を長くすることができる。また、携帯電話機の低コスト化を図ることができる。
【０１０７】
また、走査線や信号線に設定する信号をバッファによりインピーダンス変換することで、１行毎の画素の書き込み時間を短くすることができる。よって高精細な表示装置を提供することができる。
【０１０８】
また、さらに消費電力の低減を図るため、図１７（ｂ）に示すように、基板上にＴＦＴを用いて画素部を形成し、全ての周辺駆動回路をＩＣチップ上に形成し、そのＩＣチップをＣＯＧ（Ｃｈｉｐ  Ｏｎ  Ｇｌａｓｓ）などで表示パネルに実装しても良い。
【０１０９】
なお、図１７（ｂ）の表示パネルの構成は、基板５３１０、信号線駆動回路５３１１、画素部５３１２、走査線駆動回路５３１３、５３１４、ＦＰＣ５３１５、ＩＣチップ５３１６，５３１７、封止基板５３１８、シール材５３１９を有する。
【０１１０】
そして、本発明の表示装置、およびその駆動法を用いることにより、疑似輪郭が低減された、綺麗な画像を見ることが出来る。よって、人間の肌のように、階調が微妙に変化するような画像であっても、綺麗に表示出来るようになる。
【０１１１】
また、本実施の形態に示した構成は携帯電話機の一例であって、本発明の表示装置はこのような構成の携帯電話機に限らず様々な構成の携帯電話機に適用することができる。
【０１１２】
（実施の形態６）
図１８は表示パネル５７０１と、回路基板５７０２を組み合わせたＥＬモジュールを示している。表示パネル５７０１は画素部５７０３、走査線駆動回路５７０４及び信号線駆動回路５７０５を有している。回路基板５７０２には、例えば、コントロール回路５７０６や信号分割回路５７０７などが形成されている。表示パネル５７０１と回路基板５７０２は接続配線５７０８によって接続されている。接続配線にはＦＰＣ等を用いることができる。
【０１１３】
コントロール回路５７０６が、実施の形態４における、コントローラ１５０８やメモリ１５０９やメモリ１５１０などに相当する。主に、コントロール回路５７０６において、サブフレームの出現順序などを制御している。
【０１１４】
表示パネル５７０１は、画素部と一部の周辺駆動回路（複数の駆動回路のうち動作周波数の低い駆動回路）を基板上にＴＦＴを用いて一体形成し、一部の周辺駆動回路（複数の駆動回路のうち動作周波数の高い駆動回路）をＩＣチップ上に形成し、そのＩＣチップをＣＯＧ（Ｃｈｉｐ  Ｏｎ  Ｇｌａｓｓ）などで表示パネル５７０１に実装するとよい。あるいは、そのＩＣチップをＴＡＢ（Ｔａｐｅ  Ａｕｔｏ  Ｂｏｎｄｉｎｇ）やプリント基板を用いて表示パネル５７０１に実装しても良い。なお、一部の周辺駆動回路を基板上に画素部と一体形成し、他の周辺駆動回路を形成したＩＣチップをＣＯＧ等で実装した構成は図１７（ａ）に一例を示してある。
【０１１５】
また、走査線や信号線に設定する信号をバッファによりインピーダンス変換することで、１行毎の画素の書き込み時間を短くすることができる。よって高精細な表示装置を提供することができる。
【０１１６】
また、さらに消費電力の低減を図るため、ガラス基板上にＴＦＴを用いて画素部を形成し、全ての信号線駆動回路をＩＣチップ上に形成し、そのＩＣチップをＣＯＧ（Ｃｈｉｐ  Ｏｎ  Ｇｌａｓｓ）で、表示パネルに実装してもよい。
【０１１７】
なお、基板上に画素部を形成し、その基板上に信号線駆動回路を形成したＩＣチップをＣＯＧ等で実装した構成は図１７（ｂ）に一例を示してある。
【０１１８】
このＥＬモジュールによりＥＬテレビ受像機を完成させることができる。図１９は、ＥＬテレビ受像機の主要な構成を示すブロック図である。チューナ５８０１は映像信号と音声信号を受信する。映像信号は、映像信号増幅回路５８０２と、そこから出力される信号を赤、緑、青の各色に対応した色信号に変換する映像信号処理回路５８０３と、その映像信号を駆動回路の入力仕様に変換するためのコントロール回路５７０６により処理される。コントロール回路５７０６は、走査線側と信号線側にそれぞれ信号が出力する。デジタル駆動する場合には、信号線側に信号分割回路５７０７を設け、入力デジタル信号をｍ個に分割して供給する構成としても良い。
【０１１９】
チューナ５８０１で受信した信号のうち、音声信号は音声信号増幅回路５８０４に送られ、その出力は音声信号処理回路５８０５を経てスピーカー５８０６に供給される。制御回路５８０７は受信局（受信周波数）や音量の制御情報を入力部５８０８から受け、チューナ５８０１や音声信号処理回路５８０５に信号を送出する。
【０１２０】
ＥＬモジュールを筐体に組みこんで、テレビ受像機を完成させることができる。ＥＬモジュールにより、表示部が形成される。また、スピーカー、ビデオ入力端子などが適宜備えられている。
【０１２１】
勿論、本発明はテレビ受像機に限定されず、パーソナルコンピュータのモニタをはじめ、鉄道の駅や空港などにおける情報表示盤や、街頭における広告表示盤など特に大面積の表示媒体として様々な用途に適用することができる。
【０１２２】
このように、本発明の表示装置、およびその駆動法を用いることにより、疑似輪郭が低減された、綺麗な画像を見ることが出来る。よって、人間の肌のように、階調が微妙に変化するような画像であっても、綺麗に表示出来るようになる。
【０１２３】
（実施の形態７）
本発明を用いた電子機器として、ビデオカメラやデジタルカメラなどのカメラ、ゴーグル型ディスプレイ、ナビゲーションシステム、音響再生装置（カーオーディオ、オーディオコンポ等）、コンピュータ、ゲーム機器、携帯情報端末（モバイルコンピュータ、携帯電話機、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。それらの電子機器の具体例を図２０に示す。
【０１２４】
図２０（Ａ）は自発光型表示装置であり、筐体１３００１、支持台１３００２、表示部１３００３、スピーカー部１３００４、ビデオ入力端子１３００５等を含む。本発明は表示部１３００３を構成する表示装置に用いることができる。また本発明により、疑似輪郭が低減された、綺麗な画像を見ることができるようになり、図２０（Ａ）に示す自発光型表示装置が完成される。自発光型表示装置は自発光型であるためバックライトが必要なく、液晶ディスプレイよりも薄い表示部とすることができる。なお、自発光型表示装置は、パーソナルコンピュータ用、ＴＶ放送受信用、広告表示用などの全ての情報表示用表示装置に用いることができる。
【０１２５】
図２０（Ｂ）はデジタルカメラであり、本体１３１０１、表示部１３１０２、受像部１３１０３、操作キー１３１０４、外部接続ポート１３１０５、シャッター１３１０６等を含む。本発明は、表示部１３１０２を構成する表示装置に用いることができる。また本発明により、疑似輪郭の低減された、綺麗な画像で見ることができるようになり、図２０（Ｂ）に示すデジタルカメラが完成される。
【０１２６】
図２０（Ｃ）はコンピュータであり、本体１３２０１、筐体１３２０２、表示部１３２０３、キーボード１３２０４、外部接続ポート１３２０５、ポインティングマウス１３２０６等を含む。本発明は、表示部１３２０３を構成する表示装置に用いることができる。また本発明により、疑似輪郭が低減された、綺麗な画像を見ることができるようになり、図２０（Ｃ）に示すコンピュータが完成される。
【０１２７】
図２０（Ｄ）はモバイルコンピュータであり、本体１３３０１、表示部１３３０２、スイッチ１３３０３、操作キー１３３０４、赤外線ポート１３３０５等を含む。本発明は、表示部１３３０２を構成する表示装置に用いることができる。また本発明により、疑似輪郭が低減された、綺麗な画像を見ることができるようになり、図２０（Ｄ）に示すモバイルコンピュータが完成される。
【０１２８】
図２０（Ｅ）は記録媒体読み込み部を備えた携帯型の画像再生装置（具体的にはＤＶＤ再生装置）であり、本体１３４０１、筐体１３４０２、表示部Ａ１３４０３、表示部Ｂ１３４０４、記録媒体（ＤＶＤ等）読み込み部１３４０５、操作キー１３４０６、スピーカー部１３４０７等を含む。表示部Ａ１３４０３は主として画像情報を表示し、表示部Ｂ１３４０４は主として文字情報を表示するが、本発明は、表示部Ａ１３４０３、表示部Ｂ１３４０４を構成する表示装置に用いることができる。なお、記録媒体読み込み部を備えた画像再生装置には家庭用ゲーム機器なども含まれる。また本発明により、疑似輪郭が低減された、綺麗な画像を見ることができるようになり、図２０（Ｅ）に示す画像再生装置が完成される。
【０１２９】
図２０（Ｆ）はゴーグル型ディスプレイであり、本体１３５０１、表示部１３５０２、アーム部１３５０３を含む。本発明は、表示部１３５０２を構成する表示装置に用いることができる。また本発明により、疑似輪郭が低減された、綺麗な画像を見ることができるようになり、図２０（Ｆ）に示すゴーグル型ディスプレイが完成される。
【０１３０】
図２０（Ｇ）はビデオカメラであり、本体１３６０１、表示部１３６０２、筐体１３６０３、外部接続ポート１３６０４、リモコン受信部１３６０５、受像部１３６０６、バッテリー１３６０７、音声入力部１３６０８、操作キー１３６０９、接眼部１３６１０等を含む。本発明は、表示部１３６０２を構成する表示装置に用いることができる。また本発明により、疑似輪郭が低減された、綺麗な画像を見ることができるようになり、図２０（Ｇ）に示すビデオカメラが完成される。
【０１３１】
図２０（Ｈ）は携帯電話機であり、本体１３７０１、筐体１３７０２、表示部１３７０３、音声入力部１３７０４、音声出力部１３７０５、操作キー１３７０６、外部接続ポート１３７０７、アンテナ１３７０８等を含む。本発明は、表示部１３７０３を構成する表示装置に用いることができる。なお、表示部１３７０３は黒色の背景に白色の文字を表示することで携帯電話機の消費電流を抑えることができる。また本発明により、疑似輪郭が低減された、綺麗な画像を見ることができるようになり、図２０（Ｈ）に示す携帯電話機が完成される。
【０１３２】
なお、発光輝度が高い発光材料を用いれば、出力した画像情報を含む光をレンズ等で拡大投影してフロント型若しくはリア型のプロジェクターに用いることも可能となる。
【０１３３】
また、上記電子機器はインターネットやＣＡＴＶ（ケーブルテレビ）などの電子通信回線を通じて配信された情報を表示することが多くなり、特に動画情報を表示する機会が増してきている。発光材料の応答速度は非常に高いため、発光装置は動画表示に好ましい。
【０１３４】
また、発光装置は発光している部分が電力を消費するため、発光部分が極力少なくなるように情報を表示することが望ましい。従って、携帯情報端末、特に携帯電話機や音響再生装置のような文字情報を主とする表示部に発光装置を用いる場合には、非発光部分を背景として文字情報を発光部分で形成するように駆動することが望ましい。
【０１３５】
以上の様に、本発明の適用範囲は極めて広く、あらゆる分野の電子機器に用いることが可能である。また本実施の形態の電子機器は、実施の形態１〜６に示したいずれの構成の表示装置を用いても良い。
【図面の簡単な説明】
【０１３６】
【図１】本発明の表示装置の駆動方法の構成を説明する図。
【図２】本発明の表示装置の駆動方法の構成を説明する図。
【図３】本発明の表示装置の駆動方法の構成を説明する図。
【図４】本発明の表示装置の駆動方法の構成を説明する図。
【図５】本発明の表示装置の駆動方法の構成を説明する図。
【図６】本発明の表示装置の駆動方法の構成を説明する図。
【図７】本発明の表示装置の駆動方法の構成を説明する図。
【図８】本発明の表示装置の駆動方法の構成を説明する図。
【図９】本発明の表示装置の構成を説明する図。
【図１０】本発明の表示装置の構成を説明する図。
【図１１】本発明の表示装置の構成を説明する図。
【図１２】本発明の表示装置の構成を説明する図。
【図１３】本発明の表示装置の構成を説明する図。
【図１４】本発明の表示装置の構成を説明する図。
【図１５】本発明の表示装置の構成を説明する図。
【図１６】本発明が適用される電子機器を説明する図。
【図１７】本発明の表示装置の構成を説明する図。
【図１８】本発明が適用される電子機器を説明する図。
【図１９】本発明の表示装置の構成を説明する図。
【図２０】本発明が適用される電子機器を説明する図。
【図２１】従来の表示装置の駆動方法の構成を説明する図。
【図２２】従来の表示装置の駆動方法の構成を説明する図。
【図２３】従来の表示装置の駆動方法の構成を説明する図。
【図２４】従来の表示装置の駆動方法の構成を説明する図。
【図１】
2006221154.tif 000003
【図２】
2006221154.tif 000004
【図３】
2006221154.tif 000005
【図４】
2006221154.tif 000006
【図５】
2006221154.tif 000007
【図６】
2006221154.tif 000008
【図７】
2006221154.tif 000009
【図８】
2006221154.tif 000010
【図９】
2006221154.tif 000011
【図１０】
2006221154.tif 000012
【図１１】
2006221154.tif 000013
【図１２】
2006221154.tif 000014
【図１３】
2006221154.tif 000015
【図１４】
2006221154.tif 000016
【図１５】
2006221154.tif 000017
【図１６】
2006221154.tif 000018
【図１７】
2006221154.tif 000019
【図１８】
2006221154.tif 000020
【図１９】
2006221154.tif 000021
【図２０】
2006221154.tif 000022
【図２１】
2006221154.tif 000023
【図２２】
2006221154.tif 000024
【図２３】
2006221154.tif 000025
【図２４】
2006221154.tif 000026